(57)【要約】【課題】コンクリートに弾かれた水が流出するのを可及的に防止することができるコンクリート表面処理装置を提供することである。【解決手段】コンクリートの表面を研磨する程度の高圧水を噴出するノズル部１０と、所定の空間１２を介して前記ノズル部１０全体を覆う第１カバー部１４と、所定の空間１６を介して前記第１カバー部１４を覆う第２カバー部１８と、前記第１カバー部１４内の所定の空間１２を吸引する第１吸引手段２０と、前記第２カバー部１８内の所定の空間１６を吸引する第２吸引手段２２と、を備え、前記第１カバー部１４及び第２カバー部１８の先端は、少なくともノズル部１０の先端よりも先端側に位置するよう構成されていることを特徴とするコンクリート表面処理装置である。【選択図】　　図１
2004025331.tif 000002
【特許請求の範囲】
【請求項１】
コンクリートの表面を研磨する程度の高圧水を噴出するノズル部と、所定の空間を介して前記ノズル部全体を覆う第１カバー部と、所定の空間を介して前記第１カバー部を覆う第２カバー部と、前記第１カバー部内の所定の空間を吸引する第１吸引手段と、前記第２カバー部内の所定の空間を吸引する第２吸引手段と、を備え、前記第１カバー部及び第２カバー部の先端は、少なくともノズル部の先端よりも先端側に位置するよう構成されていることを特徴とするコンクリート表面処理装置。
【請求項２】
前記ノズル部は、先端から基端方向に離れた位置を中心に旋回可能に構成されていることを特徴とする請求項１記載のコンクリート表面処理装置。
【請求項３】
前記第１カバー部の先端は、第２カバー部の先端よりも先端側に位置するよう構成されていることを特徴とする請求項１又は２記載のコンクリート表面処理装置。
【請求項４】
前記第１吸引手段と第２吸引手段は、一つの吸引ポンプによって吸引するよう構成されていることを特徴とする請求項１乃至３いずれか記載のコンクリート表面処理装置。
【請求項５】
前記第１カバー部の先端には、全域に亘ってブラシ部が先端方向に突設されていることを特徴とする請求項１乃至４いずれか記載のコンクリート表面処理装置。
【請求項６】
前記第２カバー部の先端には、全域に亘って弾性部材が先端方向に突設されていることを特徴とする請求項４記載のコンクリート表面処理装置。
【発明の詳細な説明】
【０００１】
【発明の属する技術分野】
本発明は、トンネルの内壁などコンクリート壁の劣化した部分に高圧水を当てることによって、その劣化したコンクリート部分を研磨して表面処理を行うコンクリート表面処理装置に関する。
【０００２】
【従来の技術】
従来から、トンネルの内壁などコンクリート壁の劣化したコンクリートに高圧水を当てることによって、その劣化したコンクリートを研磨して表面処理を行うコンクリート表面処理装置がある。この種のコンクリート表面処理装置は、図２に示すようにコンクリートの表面を研磨する程度の高圧水を噴出するノズル部５０と、ノズル部５０に高圧水を供給する高圧水供給装置（図示省略）と、ノズル部５０と高圧水供給装置を連接する高圧水供給ホース５２と、所定の空間５４を介してノズル部５０全体を覆うカバー部５６と、カバー部５６の所定の空間５４内を吸引する吸引ポンプ（図示省略）と、カバー部５６に設けられた吸引パイプ５８と吸引ポンプを連設する吸引ホース６０と、を備え、カバー部５６の先端は、その全周に亘って先端方向に突出するブラシ部６２が設けられており、そのブラシ部６２の先端は、少なくともノズル部５０の先端よりも先端側に位置するよう構成されている。
【０００３】
このコンクリート表面処理装置は、先ず、コンクリート壁の劣化した部分に対して垂直な状態でカバー部５６のブラシ部６２を押し当てて、高圧水供給装置及び吸引ポンプを稼動させる。高圧水供給装置が稼動すると、ノズル部５０の先端から高圧水を噴出され、ノズル部５０から噴出された高圧水は、劣化したコンクリート部分に当たり、その圧力によって劣化したコンクリート部分を研磨して表面処理を行うことができる。この際、吸引ポンプが稼動されているので、ノズル部５０の先端から噴出され、コンクリートから弾かれたカバー部５６内の所定の空間の水、及び高圧水によって弾かれたコンクリートの破片は、吸引ポンプによって吸引される。
【０００４】
【発明が解決しようとする課題】
しかしながら、従来のコンクリート表面処理装置においては、コンクリート壁に高圧水を当てているため、大量の水が高圧力で放射状に弾かれ、カバー部の先端のブラシ部から大量の水が流出してしまい、また高圧水によって弾かれたコンクリートの破片もカバー部の先端のブラシ部から飛び出てしまうという問題がある。
【０００５】
また、従来のコンクリート表面処理装置は、ノズル部がカバー部に固定されているため、ノズル部から噴出する高圧水の向きを変える場合、カバー部のブラシ部をコンクリートに対して垂直な状態で押し当てることができなくなり、ブラシ部から水及びコンクリートの破片が噴出し流出し易くなるという問題がある。
さらに、従来のコンクリート表面処理装置は、カバー部をコンクリート壁に押し当てて使用するため、吸引ポンプの吸引によって、カバー部内の空気が吸引され、カバー部がコンクリート壁に吸い付きコンクリート表面処理装置をコンクリート壁に沿って移動させる場合に大きな力を必要とするという問題がある。
【０００６】
そこで、本発明は、コンクリートに弾かれた水及びコンクリートの破片が流出するのを可及的に防止することができるコンクリート表面処理装置を提供することを第１の目的とする。
【０００７】
また、本発明は、ノズル部から噴出する高圧水の向きを変えた場合であっても、カバー部のブラシ部から流出する水及びコンクリートの破片の量を可及的に少なくすることができるコンクリート表面処理装置を提供することを第２の目的とする。
【０００８】
さらに、本発明は、大きな力を必要しないでコンクリート表面処理装置をコンクリート壁に沿って移動させることができるコンクリート表面処理装置を提供することを第３の目的とする。
【０００９】
【課題を解決するための手段】
上記第１の目的を達成するため、本発明は、コンクリートの表面を研磨する程度の高圧水を噴出するノズル部と、所定の空間を介して前記ノズル部全体を覆う第１カバー部と、所定の空間を介して前記第１カバー部を覆う第２カバー部と、前記第１カバー部内の所定の空間を吸引する第１吸引手段と、前記第２カバー部内の所定の空間を吸引する第２吸引手段と、を備え、前記第１カバー部及び第２カバー部の先端は、少なくともノズル部の先端よりも先端側に位置するよう構成されていることを特徴とするコンクリート表面処理装置である。
【００１０】
以上のように本発明に係るコンクリート表面処理装置によれば、第１カバー部から流出する水及びコンクリートの破片は、第２カバー部内の所定の空間に流出するので、第２吸引手段によって吸引され、コンクリート表面処理装置から水及びコンクリートの破片が流出するのを可及的に防止することができる。
【００１１】
また、上記第２の目的を達成するため、本発明に係るコンクリート表面処理装置において、前記ノズル部は、先端から基端方向に離れた位置を中心に旋回可能に構成されていることが好ましい。このように、ノズル部の先端から離れた位置を中心に旋回可能に構成することにより、カバー部をコンクリートに対して垂直な状態で押し当てたまま、ノズル部から噴出する高圧水の向きを変えることができる。
【００１２】
さらに、第３の目的を達成するため、本発明に係るコンクリート表面処理装置において、前記第１カバー部の先端は、第２カバー部の先端よりも先端側に位置するよう構成されていることが好ましい。このように構成することにより、第１カバー部の先端をコンクリート壁に押し当てた場合であっても、第２吸引手段によって吸引される空気を第２カバー部の先端とコンクリート壁との間から吸引することができるので、大きな力を必要しないでコンクリート表面処理装置をコンクリート壁に沿って移動させることができる。また、このように構成することにより、第１カバー部の先端をコンクリート壁に押し当てた場合であっても、第２吸引手段によって吸引される空気を第２カバー部の先端とコンクリート壁との間から吸引することができ、第２カバー部内の所定の空間の水及びコンクリートの破片をスムーズに吸引することができる。
【００１３】
またさらに、前記第１吸引手段と第２吸引手段は、一つの吸引ポンプによって吸引するよう構成されていることが好ましい。さらに、前記第１カバー部の先端には、全域に亘ってブラシ部が先端方向に突設されていることが好ましく、前記第２カバー部の先端には、全域に亘って弾性部材が先端方向に突設されていることが好ましい。
【００１４】
【発明の実施の形態】
次に、本発明に係るコンクリート表面処理装置の実施例について図面に基づいて説明する。図１は、本実施例に係るコンクリート表面処理装置の側面断面図である。本実施例に係るコンクリート表面処理装置は、ノズル部１０と、所定の空間１２を介してノズル部全体を覆う第１カバー部１４と、所定の空間１６を介して第１カバー部１４を覆う第２カバー部１８と、第１カバー１４の所定の空間１２内を吸引する吸引ポンプ（図示省略）に接続されている第１吸引パイプ２０と、第２カバー１８の所定の空間１６内を吸引する吸引ポンプ（図示省略）に接続されている第２吸引パイプ２２と、を備えている。
【００１５】
ノズル部１０は、円筒状に形成されたノズル部本体２４と、ノズル部本体２４の先端に設けられ、高圧水を噴出する先端部２６と、から構成されている。ノズル部本体２４の基端２４Ａは、コンクリートの表面を研磨する程度の高圧水を供給可能な高圧水供給装置（図示省略）に高圧水供給ホース２８を介して接続されており、ノズル部本体２４の軸方向中央近傍には、その周面全周に亘って球面状に形成された球面部３０が補強部材３１を介して設けられている。また、ノズル部１０の先端部２６は、高圧水供給装置からノズル部本体２４に供給された高圧水を放射状に噴出するよう構成されている。
【００１６】
第１カバー部１４は、ノズル部１０のノズル部本体２４を支持する第１カバー部本体３２と、円筒状に形成され、ノズル部１０の先端部２６の周りを所定の空間１２を介して覆う円筒部３４と、円筒部３４の基端と第１カバー部本体３２の先端を連設し、第１カバー部本体３２に向かって収束する円錐状に形成された円錐部３６と、から構成されている。円筒部３４の先端側は、ブラシ３８によって全周が構成されており、ブラシ３８の先端３８Ａは、ノズル部１０の先端部２６の先端よりも先端側に位置するよう構成されている。第１カバー部本体３２の内周面の基端側は、基端側が大径となる段差３２Ａが全周に亘って形成されており、この段差３２Ａには、ノズル部１０の球面部３０を支持する支持部材４０が段差３２Ａ全周に亘って設けられている。この支持部材４０の内周面４０Ａは、ノズル部１０の球面部３０の球面状の外面に整合する凹球面状に形成されている。したがって、ノズル部１０は、この球面部３０の位置を中心にその先端部２６を上下左右及び斜め方向に旋回させることができる。ノズル部本体２４の補強部材３１の先端側には、周方向に所定間隔をおいて凹部３１Ａが形成されており、この凹部３１Ａには、スポンジなどの弾性素材で構成され、第１カバー部本体３２の先端側と補強部材３１の先端側の間を全周に亘って埋めるように弾性部材３３が嵌め合わされている。このように補強部材３１の先端側と第１カバー部本体３２の先端側の間に弾性部材３３を設けることにより、ノズル部１０から噴出した高圧水によって弾かれたコンクリートの破片が球面部３０と支持部材４０の内周面４０Ａの間に入るのを防止することができる。
【００１７】
第２カバー部１８は、先端側が開口された円柱状に形成されており、第１カバー部１４の円筒部３４の全周を覆うようにその周りに設けられている。また、第２カバー部１８の先端には、全周に亘ってゴム部材４２が設けられており、ゴム部材４２の先端は、ノズル部１０の先端部２６の先端よりも先端側で、第１カバー部１４のブラシ部３８の先端よりも基端側に位置するよう構成されている。
第１吸引パイプ２０は、基端側がノズル部本体２４と平行な直線状に形成されており、先端側は、直線状に形成された部分から第１カバー部１４の円錐部３６の外周面に垂直に交わるように曲線状に形成されている。第１吸引パイプ２０の先端は、第１カバー部１４の円錐部３６と連設されており、基端は、第１カバー１４内の所定の空間１２を吸引する吸引ポンプ（図示省略）に接続されている吸引チューブ４４に連設されている。
【００１８】
第２吸引パイプ２２は、先端が第２カバー部１８の基端側の底面１８Ａに連設されており、基端が第１吸引パイプ２０の曲線状の部分に連接されている。したがって、第２カバー部１８内の所定の空間１６は、第１吸引パイプ２０及び吸引チューブ４４を介して、吸引チューブ４４に接続されている吸引ポンプによって吸引することができる。
【００１９】
次に、本実施例に係るコンクリート表面処理装置の動作について説明する。先ず、第１カバー部１４のブラシ部３８の先端が付くまでコンクリート壁の劣化した部分に対して垂直な状態で押し当て、第２カバー部１８のゴム部材４２の先端とコンクリート壁とが接触しない状態で高圧水供給装置及び吸引ポンプを稼動させる。高圧水供給装置が稼動すると、高圧水が、高圧水供給装置から高圧水供給ホース２８を介してノズル部１０に供給され、先端部２６から放射状に噴出される。ノズル部１０の先端部２６から噴出された高圧水は、劣化したコンクリート部分に当たり、その圧力によって劣化したコンクリート部分は、研磨され表面処理される。この際、吸引ポンプの稼動によって、第１カバー部１４内の所定の空間１２は、第１吸引パイプ２０及び吸引チューブ４４を介して吸引されているので、コンクリートから弾かれた第１カバー部１４内の水は、吸引ポンプによって吸引される。また、コンクリートから弾かれた第１カバー部１４内の水及び高圧水によって弾かれたコンクリートの破片が、ブラシ部３８から流出した場合であっても、第２カバー部１８内の所定の空間１６は、ゴム部材４２とコンクリート壁との間から吸引された空気が第２吸引パイプ２２、第１吸引パイプ２０及び吸引チューブ４４を介して吸引ポンプによって吸引されているので、第１カバー部１４のブラシ部３８から流出した水及びコンクリートの破片は、吸引ポンプによって吸引され、本実施例に係るコンクリート表面処理装置から流出する水及びコンクリートの破片をできるだけ少なくすることができる。
【００２０】
本実施例に係るコンクリート表面処理装置においては、ノズル部１０の先端部２６を球面部３０の位置を中心に上下左右及び斜め方向に旋回させることができるので、第１カバー部１４及び第２カバー部１８をコンクリートに対して垂直に当てた状態でノズル部１０から噴出される高圧水の方向を変更させることができる。この際、ノズル部１０の先端部２６の向きが変わることにより、第１カバー部３８から流出する水の量が増える場合があるが、本実施例に係るコンクリート表面処理装置においては、第２カバー部１８内の所定の空間１６も吸引ポンプによって吸引されているので、水が外部に流出することが少ない。
【００２１】
【発明の効果】
以上のように本発明に係るコンクリート表面処理装置は、第１カバー部材を所定の空間を介して覆う第２カバー部材を設け、その所定の空間内を吸引するよう構成されているので、コンクリートに弾かれた水、及び高圧水によって弾かれたコンクリートの破片が流出するのを可及的に防止することができるコンクリート表面処理装置を提供することができる。
【００２２】
また、本発明に係るコンクリート表面処理装置は、ノズル部の先端から離れた位置を中心に旋回可能に構成されているので、ノズル部から噴出する高圧水の向きを変えた場合であって、カバー部のブラシ部から噴出する水及び高圧水によって弾かれたコンクリートの破片の量を可及的に少なくすることができるコンクリート表面処理装置を提供することができる。
【００２３】
さらに、本発明に係るコンクリート表面処理装置は、前記第１カバー部の先端が、第２カバー部の先端よりも先端側に位置するよう構成されているので、大きな力を必要しないでコンクリート表面処理装置をコンクリート壁に沿って移動させることができるコンクリート表面処理装置を提供することができる。
【図面の簡単な説明】
【図１】
本発明に係るコンクリート表面処理装置の実施例の側面断面図である。
【図２】
従来のコンクリート表面処理装置の側面断面図である。
【符号の説明】
１０　　ノズル部
１２　　所定の空間
１４　　第１カバー部
１６　　所定の空間
１８　　第２カバー部
２０　　第１吸引パイプ
２２　　第２吸引パイプ
【図１】
2004025331.tif 000003
【図２】
2004025331.tif 000004